(57)【特許請求の範囲】
【請求項１】
少なくとも織物の巻き取り手段を含む機械フレーム第１固定部分と、該第１固定部分から分離可能の機械フレーム第２部分であって、第１部分に合体される時たて糸巻きを支持する軸受を少なくとも含む手段を有するような機械フレーム第２部分とよりなる分離型織機において、上記第１固定部分と分離可能の機械フレーム第２部分とが互いに嵌合する案内手段があり、当該案内手段が上記第１固定部分に固定され、機械フレームの１つの部分（２）に設けられた案内スリット（３４）である、第１案内素子と上記機械フレーム第２部分に固定され、機械フレームの別の部分（３）に設けられたピン（３９）である、第２案内素子とを含み、上記固定部分から上記機械フレームが分離されたり合体される際、両案内素子間が嵌合されて機械フレーム第２部分の運動が斜めの誘導区間（３５，３７）から始まり、ほぼ垂直の区間（３８）へと移行する経路に限定されることを特徴とする分離型織機。
【請求項２】
機械フレームの分離可能な部分（３）がたて糸巻き（１０）の軸受（１１）から突起したブラケットを設け、このブラケットが軸バケット用の案内機構（１７）を担持したことを特徴とする請求項１に記載の織機。
【請求項３】
機械フレームの固定部分（２）内に軸駆動装置（４）を配設したことを特徴とする請求項１又は２に記載の織機。
【請求項４】
機械フレームの固定部分（２）内にたて糸巻き駆動装置を配設したことを特徴とする請求項１乃至３の何れか１項に記載の織機。
【請求項５】
機械フレームの分離可能な部分（３）にはたて糸（２０）の送り方向の軸バケットの案内機構（１７）の上流にたて糸案内及び引張り装置（１４，１５，１６）を配設したことを特徴とする請求項１乃至４の何れか１項に記載の織機。
【請求項６】
機械フレームの分離可能な部分（３）にはたて糸案内及び引張り装置（１４，１５，１６）と軸バケットの案内機構（１７）との間にたて糸監視装置（１３）を配設したことを特徴とする請求項１乃至５の何れか１項に記載の織機。
【請求項７】
軸バケット用の案内機構（１７）がおさ（９）用の保持器を備えたことを特徴とする請求項１乃至６の何れか１項に記載の織機。
【請求項８】
機械フレームの分離可能な部分（３）が少なくとも一個の横トラスによって連結された側部（２６）を含み、この側部は機械フレームの合体状態では機械フレームの固定部分（２）の側部（２１）の支持及び案内面（８０，８２）に固定されることを特徴とする請求項１乃至７の何れか１項に記載の織機。
【請求項９】
分離可能な部分（３）の側部（２６）が移送装置（６０，６１）を取り付ける手段を備えたことを特徴とする請求項１乃至８の何れか１項に記載の織機。
【発明の詳細な説明】
【０００１】
【産業上の利用分野】
本発明は少なくとも巻取り手段を含む機械フレームの固定部分と、前記固定部分と分離可能であり、少なくともたて糸巻き用の軸受を含む機械フレームの第２部分とを有する分離型の織機に関する。
【０００２】
【従来の技術】
たて糸巻きが空になった後、又は加工される材料及び（又は）製造される織物を交換する際に紡織室の内部の狭い条件での作業をする必要がないように、織機全体を橋形クレーンを用いて別の作業区域に搬送し、又は織機を２つの部分に分離してそのうちの一つだけを空いている作業区域に搬送することが公知である。（スイス特許明細書第６６８  ６０８  Ａ５号公報）この場合は軸駆動機構と、おさ用駆動機構と、取り出し用駆動装置と、巻取り装置一式とを含む固定部分が備えられている。機械フレームの分離可能な部分は駆動機構を備えたたて糸巻きと、軸機構と、おさ装置と、完成品の取り出し装置とを含んでいる。双方の部分を分離する際には、軸機構とおさ装置と取り出し装置との連結はそれぞれの駆動機構から分離され、分離された部分を元に戻す場合に再び連結されなければならない。
【０００３】
【発明が解決しようとする課題】
本発明の課題は分離可能な部分の分離と再連結の作業が簡単であり、特にこの作業用に複雑ではない搬送装置を導入できる冒頭に述べた種類の織機を製造することにある。
【０００４】
【課題を解決するための手段】
上記の課題は、機械フレームの双方の部分が互いに嵌合する案内手段を設け、合体又は分離中に前記案内部材が分離可能な部分を機械フレームの固定部分に対して移動するための限定された経路を定める構成によって解決される。
【０００５】
本発明に従った構成によって、分離と合体中に強制案内が行われるので、複雑な制御を伴う搬送手段がなくても比較的複雑な相対運動も確実に行うことができる。その場合、案内手段によって分離又は合体中の、故障の原因となり得る分離可能な部分と固定部分との衝突が確実に防止される。それによって分離可能な部分とこの部分により担持された部材とをたて糸の送り方向に比較的深く押し込むことができるので、たて糸の送り方向で比較的コンパクトな構造が可能になる。たて糸巻きだけで１５Ｎも揺動するので、このような運動は従来形の織機を用いた場合、極めて高いコストを費やさなければ実現しないであろう。
【０００６】
本発明のその他の特徴と利点は添付図面を参照した実施例の以下の説明によって明らかにされる。
【０００７】
【実施例】
図示した織機１は固定部分２と分離可能部分３とから成る機械フレームを備えている。双方の部分（２及び３）の継ぎ目は材料の走行方向に対してほぼ横に延びている。機械フレームの固定部分２は装入駆動システム（図示せず）と、織り地巻取り駆動機構（図示せず）と、たて糸巻き駆動装置（図示せず）と、図１及び図２に概略的に示した軸駆動機構４とを備えている。軸案内機構１７内に案内された軸７と軸受１１を有するたて糸巻き１０とは機械フレームの分離可能な部分３に配設されている。軸７の案内機構１７はおさ９用の保持器を備えている。分離可能な部分３はたて糸巻き軸受１１の上方に材料の走行方向に水平に延び、案内機構１７を担持するブラケットを備えている。分離可能部分３のたて糸巻き軸受１１の上方にほぼ垂直に延びる領域には案内ローラ１４を担持する支持体１２が配設されている。案内ローラ１４は支持体１２に揺動自在に保持された揺動アーム１５に支承されており、この揺動アームは圧縮ばね１６に支承されている。案内ローラ１４と案内機構１７との間にはたて糸監視装置１３が設けられている。たて糸巻き１０から引き出されるたて糸２０は軸の案内機構１７とは反対側を上方に、案内ローラ１４を介してたて糸監視装置１３を経て、軸７へと、又、おさ装置９を通過して進行する。
【０００８】
機械フレームの固定部分２は複数個の横トラス２２，２３によって互いに連結された２個の板状側部２１を有している。側部２１の間には補足的に駆動軸２４，２５又はその類似物のような別の部品が配設されている。
【０００９】
機械フレームの分離可能な部分３は更に側部２１と対応する間隔で配置され、たて糸巻き１０を間に受容する２つの側部２６を備えている。側部２６はたて糸軸受１１の下方にあるほぼ水平のシャンクに支持ピン２８，２９を備えている。側部２６は更にたて糸巻き１０の最大直径の上方で横トラス２７と互いに連結されている。
【００１０】
機械フレームの固定部分２の側部２１はそれぞれ水平の案内及び支持面８０と、垂直の案内及び支持面８１とを備えており、それらに対応する案内面８２，８３が機械フレームの分離可能な部分３の側部２６に設けられている。動作位置（図２）では、側部２１及び２６は各々の案内及び支持面８１ないし８３と互いに当接している。この位置で機械フレームの双方の部分２，３は例えば側部２６を貫通し、側部２１内にねじ込まれたねじ７０によって互いに連結される。側部２６の水平の案内及び支持面８２は切り欠き部によって２つのフート状セグメントによって分割され、これらのセグメントはたて糸巻き軸受１１の軸に対して水平方向に少なくともほぼ均一な間隔にあるので、垂直な負荷を均一に支えることができる。
【００１１】
機械フレームの双方の部分２，３は案内手段３０を備えており、これは分離可能部分３の合体の際には運動の終了領域用に、又は分離の際には運動の開始用に、すなわち、軸７とたて糸巻き１０とが固定部分２内に侵入する運動領域用に強制案内機構を形成する。案内手段３０は案内経路５０を形成し、分離可能な部分３によって担持されている部材、すなわちたて糸巻き１０と軸７とが例えば固定部分２の主軸２４，２５又は横トラス２２，２３がある領域に移動する際に、分離可能部分３はこの経路に沿って強制的に移動されなければならない。それによって合体又は分離中に分離可能部分３の部材のスペースは固定部分２の部材により確実に確保される。
【００１２】
図示した実施例では案内手段３０は機械フレームの固定部分２の側部２１に固定的に配置された案内部材３１を備えており、この案内部材は上方が解放されたスリット３４を備えた板部材３３からそれぞれ成っている。板部材３３はねじ４０によって側部２１に固定されている。板部材３３のスリット３４はそれぞれ誘導セグメント３５を有しており、このセグメントは２個の細まり側縁部３６，４１によって境界が限定されている。この誘導セグメント３５には垂直のセグメント３８に移行する斜めのスリット・セグメント３７がつながっている。
【００１３】
案内部材３１のスリット３４には側部２６の前端部の側方に配設されたピン３９の形状で案内部材３２が設けられ、このピンはそれぞれ僅かな遊隙を以てスリット内に案内されている。
【００１４】
分離可能部分３の固定部分２からの分離及び分離可能部分３と固定部分２との合体は、水平方向への移動用の車台と、昇降装置とを有する簡単な搬送装置６０を用いて実施することができる。搬送装置６０は昇降装置によって昇降可能である水平向きの２つのフォーク６１を有している。フォーク６１は図１に示すようにピン２８，２９の部位で分離可能部分３を受容する。合体の際には搬送装置６０はピン３９が誘導セグメント３５の縁部３６に当たるまで固定部分２の方向に水平に移動する。その後、フォーク６１は下降して、ピン３９がスリット３４内に入る。下方にある側縁部４１がたて糸巻きの方向に側縁部３６より突出するので、ピン３９は付加的な水平制御案内部材を必要とせずに、降下運動によって誘導セグメント３５内に入ることができる。そこで案内部材を用いた強制案内によって機械フレームの分離可能部分３は運動の経緯を制御する必要なく経路５０にそって移動する。この場合、搬送装置６０はブレーキを解除すると適当な水平運動を開始することができる。これと対応する態様で機械フレームの分離可能部分３を固定部分２から隔離することも可能である。そのためにはピン２８，２９と嵌合するフォーク６１を用いて簡単に持ち上げるだけで充分であり、その際に分離可能部分３はフォーク６１から発する上昇運動と並んで水平運動をも行う。
【００１５】
更に指摘しておくべきことは、分離可能部分３を分離する前におさ９をおさ駆動システムからはずし、軸案内機構１７の保持器に入れることである。部分２，３を合体した後、おさ９は再び保持器から取り出され、機械フレームの固定部分２に配設されたおさ駆動システムと連結される。
【００１６】
機械フレームの分離可能部分３を固定部分２から分離する前に、軸駆動機構４と軸７との連結は分離されなければならず、これらは双方の部分２，３が合体した後に再び連結される。そのためには例えば米国特許明細書第３  ８８８  ２８４号公報に記載されているような軸駆動機構４と軸７との連結部材が適している。
【００１７】
分離可能部分３を固定部分２から分離する前に、更にたて糸巻き駆動機構をたて糸巻き１０から分離しなければならない。合体のあとこれらは再び連結される。そのためには例えば欧州特許明細書第０  ４５１  ８９５  Ａ１号公報から公知である駆動システムが適している。
【００１８】
【発明の効果】
以上説明したように、機械フレームの双方の部分が互いに嵌合する案内手段を設け、合体又は分離中に前記案内部材が分離可能な部分を機械フレームの固定部分に対して移動するための限定された経路を定めることによって、分離可能な部分の分離と再連結の作業が簡単になる。
【図面の簡単な説明】
【図１】機械の分離可能な部分の固定部分からの分離、又は固定部分との合体中の分離された織機の側面図である。
【図２】双方の部分を合体した動作状態での図１の織機の側面図である。
【符号の説明】
１…織機                            ２…固定部分
３…分離可能部分                    ４…軸駆動機構
７…軸                              ９…おさ
１０…たて糸巻き                    １１…たて糸巻き軸受
１２…支持体                        １３…たて糸監視装置
１４…案内ローラ                    １５…揺動アーム
１６…圧縮ばね                      １７…軸案内機構
２０…たて糸                        ２１…側部
２２…横トラス                      ２３…横トラス
２４…主軸                          ２５…主軸
２６…側部                          ２７…横トラス
２８…支持ピン                      ２９…支持ピン
３０…案内手段                      ３１…案内部材
３２…案内部材                      ３３…板部材
３４…スリット                      ３５…誘導セグメント
３６…側縁部                        ３７…スリット・セグメント
３８…垂直セグメント                ３９…ピン
４０…ねじ                          ４１…側縁部
５０…経路                          ６０…搬送装置
６１…フォーク                      ８０…案内及び支持面
８１…案内及び支持面                ８２…案内及び支持面
８３…案内及び支持面
【図１】
0003793240.tif 000002
【図２】
0003793240.tif 000003